(57)【要約】【課題】検出器の故障を判定するのに要する時間を短縮すること。【解決手段】実施の形態の放射線イメージング装置は、Ｘ線ＣＴ画像を生成するためのＸ線を照射するＸ線管を有する。また、実施の形態の放射線イメージング装置は、核医学画像を生成するための放射線を検出する検出器を有する。また、実施の形態の放射線イメージング装置は、Ｘ線ＣＴ画像を生成するためのＸ線を照射するＸ線管により照射されたＸ線を、核医学画像を生成するための放射線を検出する検出器が検出したか否かを判定することで、検出器の故障を判定する。【選択図】図７
2011252860.tif 000002
【特許請求の範囲】
【請求項１】
Ｘ線ＣＴ画像を生成するためのＸ線を照射するＸ線管と、
核医学画像を生成するための放射線を検出する検出器と、
前記Ｘ線管により照射されたＸ線を前記検出器が検出したか否かを判定することで、前記検出器の故障を判定する判定部と
を備えたことを特徴とする放射線イメージング装置。
【請求項２】
前記Ｘ線管によりＸ線が照射される方向に配置されて当該Ｘ線を散乱させる散乱体を更に備え、
前記判定部は、前記Ｘ線管により照射されて前記散乱体により散乱されたＸ線を前記検出器が検出したか否かを判定することで、前記検出器の故障を判定することを特徴とする請求項１に記載の放射線イメージング装置。
【請求項３】
前記Ｘ線管は、被検体が配置される空間を軸として回転しながらＸ線を照射することを特徴とする請求項１又は２に記載の放射線イメージング装置。
【請求項４】
コンピュータが、
Ｘ線ＣＴ画像を生成するためのＸ線をＸ線管が照射する照射ステップと
核医学画像を生成するための放射線を検出器が検出する検出ステップと、
前記Ｘ線管により照射されたＸ線を前記検出器が検出したか否かを判定することで、前記検出器の故障を判定する判定ステップと
を実行することを特徴とする制御方法。
【請求項５】
コンピュータに、
Ｘ線ＣＴ画像を生成するためのＸ線をＸ線管が照射する照射手順と
核医学画像を生成するための放射線を検出器が検出する検出手順と、
前記Ｘ線管により照射されたＸ線を前記検出器が検出したか否かを判定することで、前記検出器の故障を判定する判定手順と
を実行させることを特徴とする制御プログラム。
【発明の詳細な説明】
【技術分野】
【０００１】
本発明の実施の形態は、放射線イメージング装置、方法及びプログラムに関する。
【背景技術】
【０００２】
従来より、ガンマカメラ、ＳＰＥＣＴ（Single  Photon  Emission  Computed  Tomography）装置、ＰＥＴ（Positron  Emission  Tomography）装置などの核医学イメージング装置がある。核医学イメージング装置は、放射線を検出する検出器を有する。核医学イメージング装置では、生体組織に取り込まれた同位元素又は標識化合物から放射される放射線を検出器が検出し、検出器により検出された放射線の線量分布を画像化することで生体組織の機能情報を提供する核医学画像を再構成する。
【０００３】
例えば、被検体は、腫瘍組織によって高頻度に取り込まれる標識化合物を含む放射性薬剤を予め体内に入れる。そして、核医学イメージング装置は、標識化合物から放出された放射線を所定の時間検出し、標識化合物を取り込んだ被検体の腫瘍組織の分布が描出された核医学画像を再構成する。
【０００４】
また、近年、機能情報を提供する核医学イメージング装置と、形態情報を提供するＸ線ＣＴ（Ｘ線コンピュータ断層撮影、X-Ray  Computed  Tomography）装置とが一体化された装置がある。例えば、ＰＥＴ装置とＸ線ＣＴ装置とを一体化したＰＥＴ−ＣＴ装置や、ＳＰＥＣＴ装置とＸ線ＣＴ装置とを一体化したＳＰＥＣＴ―ＣＴ装置などがある。
【０００５】
ここで、核医学イメージング装置の検出器が故障すると、放射線が検出されない。このため、例えば、Ｇｅ（ゲルマニウム）−６８などを有するファントムから放出される放射線を検出し、ファントムから放出された放射線を検出しなかった検出器を故障したと判定する判定手法がある。
【先行技術文献】
【特許文献】
【０００６】
【特許文献１】特開２００７−１０７９９５号公報
【発明の概要】
【発明が解決しようとする課題】
【０００７】
しかしながら、ファントムから放出される放射線の線量は低く、上述した判定手法では、故障の有無を判定するのに要するカウントを得るのに時間がかかる場合がある。
【課題を解決するための手段】
【０００８】
実施の形態の放射線イメージング装置は、Ｘ線管と、検出器と、判定部とを有する。Ｘ線管は、Ｘ線ＣＴ画像を生成するためのＸ線を照射する。検出器は、核医学画像を生成するための放射線を検出する。判定部は、前記Ｘ線管により照射されたＸ線を前記検出器が検出したか否かを判定することで、前記検出器の故障を判定する。
【図面の簡単な説明】
【０００９】
【図１】図１は、実施例１おけるＰＥＴ−ＣＴ装置の構成の全体像について示す図である。
【図２】図２は、実施例１におけるＰＥＴスキャナとＸ線ＣＴスキャナとの関係の一例を示す図である。
【図３】図３は、実施例１におけるＰＥＴスキャナの構成について示す図である。
【図４】図４は、実施例１における検出器の構造の一例を示す図である。
【図５】図５は、実施例１におけるアンガー型の検出器により検出される情報を示す図である。
【図６】図６は、実施例１における散乱体について示す図である。
【図７】図７は、実施例１におけるコンソール装置の構成の一例を示すブロック図である。
【図８】図８は、実施例１における記憶部に記憶された計数情報の一例を示す図である。
【図９】図９は、実施例１におけるコンソール装置による判定処理の流れを示すフローチャートである。
【図１０】図１０は、Ｘ線管がＸ線を照射する向きを変更する場合を示す図である
【図１１】図１１は、Ｘ線管がＸ線を照射する幅を変更する場合を示す図である。
【発明を実施するための形態】
【実施例１】
【００１０】
以下では、放射線イメージング装置の一例として、ＰＥＴ−ＣＴ装置を用いて説明するが、これに限定されるものではない。例えば、ＳＰＥＣＴ―ＣＴ装置でも良く、任意の装置であって良い。
【００１１】
図１は、実施例１おけるＰＥＴ−ＣＴ装置の構成の全体像について示す図である。図１において、１００はＰＥＴ−ＣＴ装置を示し、２００はＰＥＴスキャナを示し、３００はＸ線ＣＴスキャナを示し、４００は寝台を示し、４０１は被検体が載せられる天板を示し、４０２は、被検体を示す。図１に示すように、ＰＥＴ−ＣＴ装置１００は、ＰＥＴスキャナ２００と、Ｘ線ＣＴスキャナ３００と、寝台４００と、コンソール装置５００とを有する。図１におけるＸ方向は、図１の天板４０１に載せられた被検体４０２の体軸方向を示す。Ｙ方向は、Ｘ方向と直行する水平面上の方向を示す。Ｚ方向は、垂直方向を示す。
【００１２】
寝台４００は、被検体４０２が載せられる天板４０１を有する。また、図１には図示していないが、寝台４００は、天板４０１を移動させる寝台制御部を有する。寝台制御部は、コンソール装置５００により制御され、天板４０１に載せられた被検体４０２をＰＥＴ−ＣＴ装置１００の撮影口内に移動させる。
【００１３】
ＰＥＴスキャナ２００は、核医学画像を生成するための放射線を検出する検出器２１０を複数有する。複数ある検出器２１０は、被検体４０２の体軸を中心としてリング上に配置される。例えば、検出器２１０は、天板４０１に載せられた被検体４０２の体外から、被検体４０２の生体組織内に取り込まれた標識化合物から放出された一対のガンマ線を検出する。
【００１４】
具体的には、ＰＥＴスキャナ２００は、検出器２１０がガンマ線を検出するごとに、ガンマ線を検出した検出器２１０の位置を示す検出位置と、ガンマ線が検出器２１０に入射した時点におけるエネルギー値と、検出器２１０がガンマ線を検出した検出時間とを収集する。ＰＥＴスキャナ２００により収集される情報を「計数情報」とも称する。
【００１５】
ここで、検出器２１０により検出されるガンマ線と、被検体４０２の生体組織内に取り込まれた標識化合物から放出された一対のガンマ線との関係について説明する。検出器２１０は、標識化合物から放出された一対のガンマ線の双方を検出するとは限らない。例えば、検出器２１０は、標識化合物から一対のガンマ線が１つ放出された場合に、一対のガンマ線のうち片方のみを検出することがあり、一対のガンマ線のうち両方を検出することがあり、一対のガンマ線の両方を検出しないことがある。
【００１６】
標識化合物は、例えば、陽電子放出核種である「１８Ｆ（フッ素）」で標識された１８Ｆ標識デオキシグルコースが該当する。標識化合物は、ＰＥＴ−ＣＴ装置１００による測定前に被検体４０２に投与される。ただし、１８Ｆ標識デオキシグルコースに限定されるものではなく、任意の標識化合物を用いて良い。
【００１７】
Ｘ線ＣＴスキャナ３００は、Ｘ線ＣＴ画像を生成するためのＸ線を照射するＸ線管３０１と、Ｘ線管３０１により照射されたＸ線を検出するＸ線検出器３０２とを有する。Ｘ線ＣＴスキャナ３００では、Ｘ線管３０１がＸ線を被検体４０２に照射し、被検体４０２を透過したＸ線をＸ線検出器３０２が検出する。具体的には、Ｘ線ＣＴスキャナ３００は、被検体４０２の体軸を中心として回転しながら、Ｘ線管３０１がＸ線を照射し、Ｘ線検出器３０２がＸ線を検出する。言い換えると、Ｘ線ＣＴスキャナ３００は、被検体４０２の体軸を中心として回転しながら照射することで多方向からＸ線を被検体４０２に照射し、被検体４０２を透過することで被検体４０２に吸収されて減弱したＸ線を検出する。Ｘ線検出器３０２により検出されたＸ線に対して増幅処理やＡＤ変換処理などを行うことで生成されるデータを「投影データ」とも称する。Ｘ線ＣＴスキャナ３００は、Ｘ線検出器３０２により検出されたＸ線の投影データと、投影データを生成する際に用いられたＸ線を検出した検出位置とを収集する。
【００１８】
図２は、実施例１におけるＰＥＴスキャナとＸ線ＣＴスキャナとの関係の一例を示す図である。図２では、Ｙ軸方向に見た場合におけるＰＥＴスキャナ２００とＸ線ＣＴスキャナ３００との断面図を示した。図２において、２００は、ＰＥＴスキャナを示し、２１０は、検出器を示し、３００は、Ｘ線ＣＴスキャナを示し、３０１は、Ｘ線管を示し、３０２はＸ線検出器を示し、３０３は、Ｘ線管３０１により照射されたＸ線を示す。図２では、説明の便宜上、ＰＥＴスキャナ２００とＸ線ＣＴスキャナ３００とに加えて、寝台４００と天板４０１とを併せて示した。
【００１９】
図２に示すように、ＰＥＴスキャナ２００では、Ｘ軸方向に複数の検出器２１０が配置される。また、複数の検出器２１０は、被検体４０２の体軸をリング状に取り囲むように配置される。図２に示すように、Ｘ線ＣＴスキャナ３００は、Ｘ線管３０１とＸ線検出器３０２とを有する。Ｘ線管３０１とＸ線検出器３０２とは、測定時に被検体４０２が載せられる天板４０１を挟んで対向する位置に配置される。
【００２０】
図３は、実施例１におけるＰＥＴスキャナの構成について示す図である。図３において、４００は寝台を示し、４０１は天板を示し、４０２は被検体を示し、２１０は検出器を示す。図３は、Ｘ軸方向に見たＰＥＴスキャナの断面図である。図３では、説明の便宜上、ＰＥＴスキャナ２００に加えて、被検体４０２と、寝台４００と、天板４０１とを併せて示した。
【００２１】
図３に示すように、ＰＥＴスキャナ２００は、複数の検出器２１０が被検体４０２の周囲をリング状に取り囲むように配置される。検出器２１０は、例えば、フォトンカウンティング（Photon  Counting）方式の検出器が該当する。
【００２２】
図４は、実施例１における検出器の構造の一例を示す図である。図４において、２１１はシンチレータを示し、２１２はライトガイドを示し、２１３は光電子増倍管（ＰＭＴ：Photomultiplier  Tube）を示す。
【００２３】
図４に示すように、検出器２１０は、シンチレータ２１１と、ライトガイド２１２と、光電子増倍管２１３とを有する。シンチレータ２１１は、被検体４０２から放出されて検出器２１０に入射されたガンマ線を可視光に変換し、可視光を出力する。シンチレータ２１１は、例えば、ガンマ線を可視光に変換するＮａＩやＢＧＯなどで形成される。また、シンチレータ２１１は、図４に示すように、２次元に配列される。シンチレータ２１１により出力された可視光を「シンチレーション光」とも称する。ライトガイド２１２は、シンチレータ２１１から出力された可視光を光電子増倍管２１３に伝達する。ライトガイド２１２は、例えば、光透過性に優れたプラスチック素材などで形成される。光電子増倍管２１３は、シンチレータ２１１によって出力された可視光をライトガイド２１２を介して受信し、受信した可視光を電気信号に変換する。光電子増倍管２１３は、複数個配置される。
【００２４】
光電子増倍管２１３について更に説明する。光電子増倍管２１３は、シンチレーション光を受信して光電子を発生させる光電陰極と、光電陰極により発生された光電子を加速する電場を与える多段のダイノードと、電子の流れ出し口である陽極とを有する。光電効果により光電陰極から放出された電子は、ダイノードに向かって加速されてダイノードの表面に衝突し、複数の電子をたたき出す。ダイノードの表面にて複数の電子がたたき出される現象が多段のダイノードに渡って繰り返されることで、電子数がなだれ的に増える。
【００２５】
例えば、陽極は、シンチレーション光を１つ受信した場合に、約１００万もの電子を出力する。シンチレーション光を１つ受信した場合に陽極から得られる電子の数を「光電子増倍管の利得率」とも称する。この場合、光電子増倍管２１３の利得率は「１００万倍」となる。なお、電子数をなだれ的に増やす際には、ダイノードと陽極との間には、通常、１０００ボルト以上の電圧が印加される。
【００２６】
このように、検出器２１０では、シンチレータ２１１がガンマ線を可視光に変換し、光電子増倍管２１３が可視光を電気信号に変換することで、被検体４０２から放出されたガンマ線を検出する。
【００２７】
上述したように、ＰＥＴスキャナ２００は、検出器２１０がガンマ線を検出するごとに、検出位置とエネルギー値と検出時間とを収集する。ここで、図５を用いて、複数の隣接する検出器２１０が同時にガンマ線を検出した場合における検出位置とエネルギー値とを計算する処理の一例について簡単に説明する。図５は、実施例１におけるアンガー型の検出器により検出される情報を示す図である。
【００２８】
例えば、ＰＥＴスキャナ２００は、アンガー型位置計算処理を行うことで、検出位置を確定する。また、例えば、ＰＥＴスキャナ２００は、光電子増倍管２１３が位置検出型の光電子増倍管である場合には、位置検出型の光電子増倍管２１３を用いて検出位置を収集する。図５の（１）に示すように、３つの光電子増倍管２１３が、同じタイミングにてシンチレーション光を電気信号に変換して出力した場合を用いて説明する。この場合、ＰＥＴスキャナ２００は、同時に電気信号を出力した光電子増倍管２１３の位置を取得し、同時に電気信号を出力した光電子増倍管２１３から出力された電気信号のエネルギー値各々を取得する。そして、ＰＥＴスキャナ２００は、取得したエネルギー値から重心の位置を算出し、算出した重心の位置に対応するシンチレータ２１１を特定する。また、ＰＥＴスキャナ２００は、同じタイミングにてシンチレーション光を電気信号に変換して出力した各光電子増倍管２１３が出力した電気信号のエネルギー値を積分し、積分結果となるエネルギー値を検出器２１０に入射したガンマ線のエネルギー値とする。
【００２９】
図５の（２）に示すように、検出器２１０がガンマ線を検出するごとに、ＰＥＴスキャナ２００は、シンチレータ２１１を一意に識別する「シンチレータ番号」と、「エネルギー値」と、「検出時間」とを収集する。図５の（２）に示す例では、「シンチレータ番号」「エネルギー値」「検出時間」に加えて、更に、検出器２１０を一意に特定する情報である「モジュールＩＤ」を出力する場合を示した。
【００３０】
ここで、検出時間は、時刻などの絶対時間であっても良く、ＰＥＴ画像の撮影開始時点からの経過時間であっても良い。検出器２１０は、例えば、１０〜１２ｐｓｅｃ単位の精度にて検出時間を収集する。
【００３１】
図１に戻り、Ｘ線ＣＴスキャナ３００の説明に戻る。Ｘ線ＣＴスキャナ３００は、Ｘ線３０３を散乱させる散乱体３０４を有する。図６は、実施例１における散乱体について示す図である。図６において、３０４は、散乱体を示し、３０５は、散乱体３０４により散乱されたＸ線を示す。散乱体３０４により散乱されたＸ線を「散乱Ｘ線」とも称する。図６では、実施例１におけるＹ軸方向に見た場合におけるＰＥＴスキャナ２００とＸ線ＣＴスキャナ３００との断面図を示した。
【００３２】
図６に示すように、散乱体３０４は、Ｘ線管３０１によりＸ線３０３が照射される方向に配置される。散乱体３０４は、Ｘ線管３０１により照射されたＸ線３０３を散乱することで、ＰＥＴスキャナの検出器２１０に散乱Ｘ線３０５を照射する。
【００３３】
ここで、散乱体３０４は、後述するように、検出器２１０の故障の有無を判定する際や、検出器２１０の故障箇所を特定する際に、Ｘ線管３０１によりＸ線３０３が照射される方向に配置される。例えば、散乱体３０４は、天板４０１に載せられて、Ｘ線管３０１によりＸ線３０３が照射される場所に配置される。ただし、これに限定されるものではなく、散乱体３０４は、天板４０１に載せられなくても良く、天板４０１の下部にぶら下げられても良く、任意の手法にて配置されて良い。散乱体３０４は、被検体４０２のＸ線ＣＴ画像を撮影する際には用いられない。
【００３４】
散乱体３０４は、Ｘ線３０３を散乱する材質であれば任意の材質を用いて形成して良い。例えば、散乱体３０４は、鉄などの金属を用いて形成して良い。散乱体３０４の形状は、散乱Ｘ線を検出器２１０の全面に散乱できれば良く、任意の形状であって良い。例えば、散乱体３０４は、球状であっても良く、ミラーボールのような多面体であっても良い。また、散乱Ｘ線が検出器２１０以外に向かって散乱しないように、散乱体３０４の表面の角度を形成しても良い。
【００３５】
ここで、実施例１におけるＰＥＴ−ＣＴ装置１００がＰＥＴ画像とＸ線ＣＴ画像とを再構成する場合における処理の流れについて簡単に説明する。ＰＥＴスキャナ２００とＸ線ＣＴスキャナ３００とは、図１や図２において左から右に移動したり、寝台４００が右から左に移動したりすることで、Ｘ線ＣＴスキャナ３００が投影データを収集し、その後、ＰＥＴスキャナ２００が計数情報を収集する。その後、コンソール装置５００が、収集した情報に基づいてＰＥＴ画像とＸ線ＣＴ画像とを再構成する。ただし、これに限定されるものではなく、ＰＥＴスキャナ２００とＸ線ＣＴスキャナ３００とが図１や図２において右から左に移動しても良い。
【００３６】
コンソール装置５００は、コンピュータなどの情報処理装置が該当する。コンソール装置５００は、Ｘ線ＣＴスキャナ３００により収集された投影データを用いてＸ線ＣＴ画像を再構成する。また、コンソール装置５００は、ＰＥＴスキャナ２００により収集された計数情報に基づいて同時計数情報を生成し、生成した同時計数情報に基づいてＰＥＴ画像を再構成する。コンソール装置５００の詳細については後述するため、説明を省略する。
【００３７】
図７は、実施例１におけるコンソール装置の構成の一例を示すブロック図である。以下では、コンソール装置５００によるＰＥＴ画像を再構成する処理やＸ線ＣＴ画像を再構成する処理については、任意の手法を用いて実行して良く、説明を簡潔に行う。
【００３８】
同時計数情報について簡単に説明する。陽電子放出核種からは一対のガンマ線が放出され、一対のガンマ線の双方を検出器２１０が検出した場合には、陽電子放出核種からガンマ線が放出されるごとに２つの計数情報が検出部２１０にて収集される。同時計数情報は、陽電子放出核種からガンマ線が放出されるごとに収集される２つの計数情報の組み合わせを示す。
【００３９】
以下に詳細に説明するように、コンソール装置５００は、故障した検出器２１０を特定する。図７に示す例では、説明の便宜上、コンソール装置５００に加えて、ＰＥＴスキャナ２００とＸ線ＣＴスキャナ３００とを併せて示した。図７に示す例では、コンソール装置５００は、入出力部５０１と、記憶部５１０と、制御部５２０とを有する。
【００４０】
入出力部５０１は、制御部５２０と接続される。入出力部５０１は、ＰＥＴ−ＣＴ装置１００を利用する利用者から各種指示を受け付け、受け付けた各種指示を制御部５２０に送信する。また、入出力部５０１は、制御部５２０から情報を受信し、受信した情報を利用者に出力する。例えば、入出力部５０１は、キーボードやマウス、マイクなどが該当し、モニタやスピーカなどが該当する。なお、入出力部５０１によって受け付けられる情報や指示の詳細や、入出力部５０１によって出力される情報の詳細については、ここでは説明を省略し、関係する各部について説明する際に併せて説明する。
【００４１】
記憶部５１０は、制御部５２０と接続される。記憶部５１０は、制御部５２０による各種処理に用いるデータを記憶する。記憶部５１０は、例えば、ＲＡＭ（Random  Access  Memory）やフラッシュメモリ（Flash  Memory）などの半導体メモリ素子、又は、ハードディスクや光ディスクなどの記憶装置が該当する。
【００４２】
記憶部５１０は、Ｘ線ＣＴスキャナ２００によりＸ線が放出される際にＰＥＴスキャナ２００により収集された計数情報を記憶する。図８に示す例では、記憶部５１０は、「モジュールＩＤ」に対応付けて、「シンチレータ番号」と「エネルギー値」と「検出時間」とを記憶する。図８は、実施例１における記憶部に記憶された計数情報の一例を示す図である。
【００４３】
図８に示す例では、記憶部５１０は、モジュールＩＤ「Ｄ１」に対応付けて、シンチレータ番号「Ｐ１１」エネルギー値「Ｅ１１」検出時間「Ｔ１１」を記憶し、シンチレータ番号「Ｐ１２」エネルギー値「Ｅ１２」検出時間「Ｔ１２」を記憶する。すなわち、記憶部５１０は、検出器「Ｄ１」にて検出時間「Ｔ１１」にシンチレータ「Ｐ１１」がエネルギー値「Ｅ１１」のガンマ線を検出したことを記憶し、検出器「Ｄ１」にて検出時間「Ｔ１２」にシンチレータ「Ｐ１２」がエネルギー値「Ｅ１２」のガンマ線を検出したことを記憶する。また、記憶部５１０は、他の検出器２１０についても同様に記憶する。
【００４４】
制御部５２０は、入出力部５０１及び記憶部５１０と接続される。制御部５２０は、各種の処理手順などを規定したプログラムを記憶する内部メモリを有し、種々の処理を制御する。制御部５２０は、例えば、ＡＳＩＣ（Application  Specific  Integrated  Circuit）、ＦＰＧＡ（Field  Programmable  Gate  Array）、ＣＰＵ（Central  Processing  Unit）、ＭＰＵ（Micro  Processing  Unit）などの電子回路が該当する。図７に示す例では、制御部５２０は、測定制御部５２１と、判定部５２２とを有する。
【００４５】
測定制御部５２１は、故障の有無を判定する判定指示を入出力部５０１を介して利用者から受け付けると、ＰＥＴスキャナ２００とＸ線ＣＴスキャナ３００とを動作させる。具体的には、Ｘ線ＣＴスキャナ３００にＸ線３０３を照射する処理を開始させる。この際、測定制御部５２１は、Ｘ線管３０１に被検体４０２の体軸を中心として回転させながらＸ線３０３を照射させる。また、測定制御部５２１は、ＰＥＴスキャナ２００に放射線を検出する処理を開始させる。そして、測定制御部５２１は、計数情報をＰＥＴスキャナ２００から受信し、受信した計数情報を記憶部５１０に格納する。
【００４６】
判定部５２２は、Ｘ線管３０１により照射されたＸ線３０３を検出器２１０が検出したか否かを判定する。ここで、判定部５２２は、Ｘ線３０３を検出しなかったと判定した検出器２１０について故障したと判定し、Ｘ線３０３を検出したと判定した検出器２１０について正常であると判定する。
【００４７】
具体的には、判定部５２２は、検出器２１０ごとに、すべてのシンチレータ２１１が放射線を検出したかを判定する。より詳細な一例をあげて説明すると、判定部５２２は、記憶部５１０を参照することで、検出器２１０ごとに、計数情報にすべてのシンチレータ番号が含まれているかを判定する。そして、判定部５２２は、すべてのシンチレータ２１１が放射線を検出していないと判定した検出器２１０について故障したと判定し、すべてのシンチレータ２１１が放射線を検出したと判定した検出器２１０について正常であると判定する。
【００４８】
また、判定部５２２は、故障箇所を詳細に特定しても良い。例えば、判定部５２２は、故障したと判定した検出器２１０について、計数情報に含まれなかったシンチレータ番号により特定されるシンチレータ２１１が故障したと特定しても良い。同様に、判定部５２２は、特定したシンチレータ２１１から出力される可視光を受信するライトガイド２１２が故障したと特定しても良く、特定されたシンチレータ２１１から出力される可視光を受信する光電子増倍管２１３が故障したと特定しても良い。
【００４９】
［放射線イメージング装置による判定処理］
図９を用いて、実施例１におけるコンソール装置５００による判定処理の流れを示す。図９は、実施例１におけるコンソール装置による判定処理の流れを示すフローチャートである。
【００５０】
図９に示すように、測定制御部５２１は、故障の有無を判定する判定指示を入出力部５０１を介して利用者から受け付けると（ステップＳ１０１肯定）、ＰＥＴスキャナ２００とＸ線ＣＴスキャナ３００とに動作を開始させる（ステップＳ１０２）。その後、測定制御部５２１は、計数情報をＰＥＴスキャナ２００から受信し（ステップＳ１０３）、受信した計数情報を記憶部５１０に格納する（ステップＳ１０４）。
【００５１】
そして、判定部５２２は、Ｘ線管３０１により照射されたＸ線３０３を検出器２１０が検出したか否かを判定する（ステップＳ１０５）。ここで、判定部５２２は、Ｘ線３０３を検出しなかったと判定した（ステップＳ１０６否定）場合には、故障したと判定する（ステップＳ１０７）。一方、判定部５２２は、Ｘ線３０３を検出したと判定した場合には（ステップＳ１０６肯定）、正常であると判定する（ステップＳ１０８）。
【００５２】
［実施例１の効果］
上述したように、実施例１によれば、ＰＥＴ−ＣＴ装置１００は、Ｘ線ＣＴ画像を生成するためのＸ線３０３を照射するＸ線管３０１を有し、核医学画像を生成するための放射線を検出する検出器２１０を有する。そして、ＰＥＴ−ＣＴ装置１００は、Ｘ線管３０１により照射されたＸ線３０３を検出器２１０が検出したか否かを判定する。この結果、故障の有無を判定するのに要するカウントを短時間にて取得でき、故障の有無を短時間で判定可能である。
【００５３】
すなわち、ＰＥＴスキャナ２００の検出器２１０の動作確認に用いられるファントムの線量は低く、ファントムから放出される放射線を用いて検出器２１０の故障を判定すると、データ収集に時間がかかる。また、ファントムから放出される放射線の線量は時間が経過すると減衰する結果、時間経過とともにデータ収集にかかる時間は更に長くなる。これに対して、実施例１によれば、Ｘ線ＣＴスキャナ３００から放出されるＸ線３０３を用いて、検出器２１０の故障を判定する。Ｘ線ＣＴスキャナ３００から放出されるＸ線の線量は、ファントムの線量の数百倍であり、実施例１によれば、ファントムを用いる手法と比較して短時間で故障を判定可能である。
【００５４】
また、Ｘ線ＣＴスキャナ３００では、いつでも設定した線量のＸ線３０３を放出させることができる。この結果、実施例１によれば、ファントムを用いる手法とは異なり、線量の減衰による撮影時間の影響を防止することが可能である。また、実施例１によれば、散乱Ｘ線を用いて故障を判定するが、上述したように、Ｘ線ＣＴスキャナ３００から放出されるＸ線の線量は、ファントムの線量の数百倍であり、散乱Ｘ線を用いたとしても、ファントムを用いる手法と比較して短時間にて故障を判定可能である。
【００５５】
また、実施例１によれば、ＰＥＴ−ＣＴ装置１００は、Ｘ線管３０１によりＸ線が照射される方向に配置されてＸ線３０３を散乱させる散乱体３０４を更に有する。そして、ＰＥＴ−ＣＴ装置１００は、Ｘ線管３０１により照射されて散乱体３０４により散乱されたＸ線を検出器２１０が検出したか否かを判定する。
【００５６】
このように、Ｘ線ＣＴスキャナ３００により放出されたＸ線３０３を散乱体３０４に散乱させることで、Ｘ線管３０１により照射されるＸ線が直接検出器２１０に当たらなかったとしても、Ｘ線管３０１により照射されたＸ線３０３を用いて短時間にて故障を判定可能である。
【００５７】
また、実施例１によれば、ＰＥＴ−ＣＴ装置１００では、Ｘ線管３０１が、被検体４０２が配置される空間を軸として回転しながらＸ線３０３を照射する。この結果、Ｘ線管３０１を動かさなかった場合には散乱Ｘ線が照射されない検出器２１０があったとしても、Ｘ線管３０１を回転させながら照射することで、すべての検出器２１０に散乱Ｘ線を確実に照射可能である。
【実施例２】
【００５８】
さて、これまで実施例１について説明したが、上述した実施例１以外にも、その他の実施例にて実施されても良い。そこで、以下では、その他の実施例を示す。
【００５９】
［Ｘ線ＣＴスキャナ］
例えば、上述した実施例では、判定処理を実行する場合に、Ｘ線ＣＴスキャナ３００を回転させながらＸ線３０３を照射する場合について説明したが、これに限定されるものではない。例えば、Ｘ線ＣＴスキャナ３００を回転させることなくＸ線３０３を照射するようにしても良い。
【００６０】
［散乱体］
また、例えば、上述した実施例では、散乱体３０４を用いる場合について説明したが、これに限定されるものではなく、散乱体３０４を用いなくても良い。例えば、制御部５２０が、判定処理を実行する場合に、Ｘ線管３０１のコリメータを調整することでＸ線３０３の照射方向を変更しても良い。図１０は、Ｘ線管がＸ線を照射する向きを変更する場合を示す図である。図１０の（１）は、変更前を示し、図１０の（２）は、変更後を示す。図１０の（２）に示すように、制御部５２０は、Ｘ線管３０１がＸ線３０３を照射する向きを検出器２１０に向ける。そして、制御部５２０は、披検体４０２が配置される空間を軸としてＸ線管３０１が回転しながらＸ線３０３を照射するように制御することで、検出器２１０の全面にＸ線３０３を照射する。
【００６１】
また、例えば、制御部５２０が、判定処理を実行する場合に、Ｘ線管３０１のコリメータを調整することでＸ線３０３の照射幅を変更しても良い。図１１は、Ｘ線管がＸ線を照射する幅を変更する場合を示す図である。図１１の（１）は、変更前を示し、図１１の（２）は、変更後を示す。図１１の（２）に示すように、制御部５２０は、Ｘ線管３０１がＸ線３０３を照射する幅を広くする。例えば、制御部５２０は、Ｘ線管３０１がＸ線３０３を照射するレンズの開口部の大きさを広くすることで、Ｘ線管３０１がＸ線３０３を照射する幅を広くする。そして、制御部５２０は、披検体４０２が配置される空間を軸としてＸ線管３０１が回転しながらＸ線３０３を照射するように制御することで、検出器２１０の全面にＸ線３０３を照射する。
【００６２】
［計数情報］
また、例えば、上述した実施例では、コンソール装置５００がＰＥＴスキャナ２００から計数情報を受信して用いる場合について説明したが、これに限定されるものではない。例えば、コンソール装置５００は、ＰＥＴスキャナ２００から検出器２１０による検出結果そのものを受信しても良い。この場合、コンソール装置５００は、光電子増倍管２１３から出力される波形データそのものを受信し、受信した波形データから計数情報を生成する。
【００６３】
［同時計数情報］
また、例えば、上述した実施例では、コンソール装置５００がＰＥＴスキャナ２００から計数情報を受信して同時計数情報を生成する場合について説明したが、これに限定されるものではない。例えば、ＰＥＴスキャナ２００は、計数情報から同時計数情報を生成し、生成した同時計数情報をコンソール装置５００に送信しても良い。この場合、例えば、コンソール装置５００は、ＰＥＴスキャナ２００から受信した同時計数情報に基づいて故障を判定しても良い。また、例えば、コンソール装置５００は、ＰＥＴスキャナ２００から受信した同時計数情報とは別に、判定用の情報として、計数情報や光電子増倍管２１３から出力される波形データそのものを受信して用いても良い。
【００６４】
［システム構成］
また、本実施例において説明した各処理のうち、自動的に行われるものとして説明した処理の全部又は一部を手動的に行うこともでき、あるいは、手動的に行われるものとして説明した処理の全部又は一部を公知の方法で自動的に行うこともできる。例えば、ＰＥＴ−ＣＴ装置１００は、判定指示を受け付けると、Ｘ線が照射される方向に自動的に散乱体３０４を配置しても良く、手動にて配置しても良い。この他、上述文書中や図面中で示した処理手順、制御手順、具体的名称、各種のデータやパラメータを含む情報（図１〜図９）については、特記する場合を除いて任意に変更することができる。
【００６５】
また、図示した各装置の各構成要素は機能概念的なものであり、必ずしも物理的に図示の如く構成されていることを要しない。すなわち、各装置の分散・統合の具体的形態は図示のものに限られず、その全部又は一部を、各種の負荷や使用状況などに応じて、任意の単位で機能的又は物理的に分散・統合して構成することができる。例えば、上述した実施例では、コンソール装置５００が、ＰＥＴ画像やＸ線ＣＴ画像を再構成し、判定処理を実行する場合を例に示したが、これに限定されるものではない。例えば、判定処理を制御する制御部がコンソール装置５００とは別装置であっても良い。この場合、判定処理を制御する制御部は、ＰＥＴ−ＣＴ装置１００の外部装置としてネットワーク経由で接続するようにしても良い。
【００６６】
［その他］
なお、本実施例で説明した放射線イメージングプログラムは、インターネットなどのネットワークを介して配布することができる。また、放射線イメージングプログラムは、ハードディスク、フレキシブルディスク（ＦＤ）、ＣＤ−ＲＯＭ、ＭＯ、ＤＶＤなどのコンピュータで読み取り可能な記録媒体に記録され、コンピュータによって記録媒体から読み出されることによって実行することもできる。
【００６７】
［実施例の効果］
上述したように、実施例１や２によれば、検出器２１０の故障を判定するのに要する時間を短縮可能である。
【符号の説明】
【００６８】
１００      ＰＥＴ−ＣＴ装置
２００      ＰＥＴスキャナ
２１０      検出器
２１１      シンチレータ
２１２      ライトガイド
２１３      光電子増倍管
３００      Ｘ線ＣＴスキャナ
３０１      Ｘ線管
３０２      Ｘ線検出器
３０４      散乱体
４００      寝台
５００      コンソール装置
５０１      入出力部
５１０      記憶部
５２０      制御部
５２１      測定制御部
５２２      判定部
【図１】
2011252860.tif 000003
【図２】
2011252860.tif 000004
【図３】
2011252860.tif 000005
【図４】
2011252860.tif 000006
【図５】
2011252860.tif 000007
【図６】
2011252860.tif 000008
【図７】
2011252860.tif 000009
【図８】
2011252860.tif 000010
【図９】
2011252860.tif 000011
【図１０】
2011252860.tif 000012
【図１１】
2011252860.tif 000013